(57)【特許請求の範囲】
【請求項１】
通路部の一側位置に立設した戸当り柱に当接自在な扉体と、該扉体の上部に設けられ、侵入者が手をかけるなどして電線ワイヤの端子が外れることにより扉体の乗り越えを感知するワイヤセンサと、ワイヤセンサからの信号を受信して警報装置に信号を送信する制御装置と、扉体の戸当り端に設けたワイヤセンサに接続する受電端子部と、戸当り柱に設けた受電端子部に電力を供給する送電端子部とを有し、扉体の閉成状態において受電端子部と送電端子部が接合し、ワイヤセンサに通電することを特徴とする引戸門扉。
【請求項２】
ワイヤセンサによる警戒状態あるいは非警戒状態を選択するセンサスイッチを設けたことを特徴とする請求項１に記載の引戸門扉。
【請求項３】
センサスイッチが扉体を開閉する駆動装置の操作スイッチと連動したことを特徴とする請求項２に記載の引戸門扉。
【発明の詳細な説明】
【技術分野】
【０００１】
この発明は、防犯機能を有する引戸門扉に関するものであり、より詳しくは扉体の上部に乗り越えを感知する電気センサを設けた引戸門扉に関するものである。
【背景技術】
【０００２】
従来、門扉、フェンス等の外構部材を乗り越えて、敷地内に侵入する者を感知し、警報を発する防犯装置として様々な提案が為されている。
特許文献１には、フェンス、塀、門扉等の上部にセンサを設け、侵入者がこれら門扉等を乗り越えようとした際に、前記センサが感知して警報装置に信号を送信する門扉等の外構構成部材が開示されている。
【０００３】
特許文献１に記載された外構構成部材によれば、門扉等の上面にセンサを取り付けるだけの簡単な構成により、門扉等に乗り越え感知手段を設けることができる。また、特許文献１の図３に示された門扉は、門柱に水平回動自在に取り付けた門扉である。このような回動中心軸を支点として開閉される門扉であれば、回動中心部分における門扉と門柱との位置関係は殆ど変化しないので、門扉と門柱の間に電線を設けることにより、センサと電力供給装置または警報装置を電気的に容易に接続することができる。
【０００４】
しかしながら、通路部を開閉する際に扉体全体が移動する引戸門扉に電気センサを設ける場合、引戸門扉と電力供給装置が設けられる門柱等の固定構造物との位置関係が大きく変化するため、電線により電気センサと電力供給装置または警報装置と接続することが困難なものである。
【０００５】
本出願人は、引戸門扉の上方部を警戒する防犯機能を設けた構成として、特願２００４−１１７４９５の出願を先に行なっている。特許文献２によれば、引戸門扉の上方部を赤外線センサにより警戒するので、引戸門扉に電気センサを設ける必要がなく、電力を供給する電線が不要となる。
しかしながら、赤外線センサによって警戒する場合、門扉の上方部で赤外線を送受信するために支柱等を立設する必要があり、防犯装置の設置作業に多大な労力とコストアップを伴うものである。
【０００６】
安価な防犯装置としては、フェンス等の上部にワイヤセンサを設けた防犯装置が知られている。ワイヤセンサは、ループ状の電線ワイヤをフェンスの上部に配設し、電線ワイヤの途中複数箇所に発条により接合する接点を設け、この電線ワイヤに負荷が加わった際に前記接点が外れ、通電しなくなった際の電気抵抗を制御装置が感知して、警報装置に信号を送信するものである。
【０００７】
しかしながら、ワイヤセンサを引戸門扉に設ける場合、電力供給装置とワイヤセンサを電気的に接続しておく必要があるため、上記従来技術と同様にワイヤセンサと電力供給装置または警報装置と接続することが困難なものである。そのため、フェンスの上部には安価なワイヤセンサを取り付けることができても、引戸門扉の上部には電気的接続を必要としない赤外線センサを取り付けなければならず、二通りの防犯構造を必要とするものであり、複雑な制御方法が強いられると共に、コストアップを招くものであった。さらに、フェンスの上部をワイヤセンサとしても、門扉の上部は赤外線センサとなるので、統一感のある外観が得られないものであった。
【０００８】
【特許文献１】特開２００１−０７３５９４号公報
【発明の開示】
【発明が解決しようとする課題】
【０００９】
本発明の目的は、引戸門扉に取付けることのできなかった電気センサの取付を可能とし、フェンスの上部と同じ電気センサを引戸門扉に設けることにより、統一感のある外観を付与すると共に、引戸門扉とフェンスが同じ電気センサを用いるので、防犯装置の制御を簡単な構造とすることのできる引戸門扉を提供することにある。
【課題を解決するための手段】
【００１０】
本発明者等は、このような事情に鑑み鋭意検討を重ねた結果、通路部の一側位置に立設した戸当り柱に当接自在な扉体と、該扉体の上部に設けられ、侵入者が手をかけるなどして電線ワイヤの端子が外れることにより扉体の乗り越えを感知するワイヤセンサと、ワイヤセンサからの信号を受信して警報装置に信号を送信する制御装置と、扉体の戸当り端に設けたワイヤセンサに接続する受電端子部と、戸当り柱に設けた受電端子部に電力を供給する送電端子部とを有し、扉体の閉成状態において受電端子部と送電端子部が接合し、ワイヤセンサに通電することによって、所期の目的を達成したものである。
【００１１】
請求項２の発明に係る引戸門扉は、請求項１に記載の引戸門扉において、ワイヤセンサによる警戒状態あるいは非警戒状態を選択するセンサスイッチを設けたものである。
【００１２】
請求項３の発明に係る引戸門扉は、請求項２に記載の引戸門扉において、センサスイッチが扉体を開閉する駆動装置の操作スイッチと連動したものである。
【発明の効果】
【００１４】
本発明の引戸門扉によれば、侵入者が手をかけるなどして電線ワイヤの端子が外れることにより乗り越えを感知するワイヤセンサを扉体の上部に設け、扉体の戸当り端に設けたワイヤセンサに接続する受電端子と、戸当り柱に設けた電力供給装置に接続され受電端子に電力を供給する送電端子を設け、扉体が閉成状態の際にワイヤセンサの作動電力を供給するので、電線により連結することなくワイヤセンサを扉体の上部に設けることができ、フェンスの上部と同じワイヤセンサを引戸門扉に設けることにより、統一感のある外観を付与すると共に、引戸門扉とフェンスが同じワイヤセンサを用いるので、防犯装置の制御を簡単な構造とし、安価に提供することができる。
【発明を実施するための最良の形態】
【００１５】
以下、本発明を実施するための最良の形態を実施例に基づき説明する。
図１乃至図８は本発明引戸門扉の実施例であり、図中１は引戸門扉を表わし、引戸門扉１は、通路部Ｔを開閉自在とした扉体２と、扉体２の戸当り側で且つ通路部Ｔの一側に位置する戸当り柱３と、通路部Ｔに敷設され扉体２が走行する案内レールＲと、扉体２の吊元側で且つ通路部Ｔの他側に設置した電動駆動装置Ｄと、通路部Ｔを開成状態とした際に扉体２の吊元側への移動を規制するストッパー部材Ｓとから構成されている。なお本実施例において、扉体２は路面に敷設されたレールＲに沿って移動する構成としているが、レールＲを必要としないキャスタータイプの引戸門扉であっても構わない。さらに、電動駆動装置Ｄを必要としない手動開閉式の引戸門扉に適用しても構わない。
【００１６】
扉体２は複数の縦格子４を平行に配置した格子パネル体を有しており、任意箇所の縦格子４１が他の箇所の縦格子４２よりも上端が高く設定されている。さらに、扉体２の戸当り框５と吊元框６も縦格子４１と略同じ高さとなっている。縦格子４１、戸当り框５、吊元框６における縦格子４２よりも上方に突出した位置には、ワイヤセンサ７が設けられており、ワイヤセンサ７を構成する電線ワイヤ７２の端部は戸当り框５に形成した受電端子５１に接続し、電気回路として一本に繋がったループ状となっている。
【００１７】
電線ワイヤ７２の途中箇所となる縦格子４１、戸当り框５、吊元框６と交差する位置には感知装置７１が設けられている。図５に示した感知装置７１は、円柱形状を呈し、その中心部には電線ワイヤ７２の先端に設けた端子７１１が位置し、対向する端子７１１がコイルスプリング７１２によって接合するよう付勢されている（図５において右半部の正常状態）。従って、ワイヤセンサ７は途中箇所において端子７１１によって接合されてはいるものの、電気回路としては一本に繋がったものである。感知装置７１は、外部からの侵入者が扉体を乗り越える際に、電線ワイヤ７２に手をかけるなどして接合している端子７１１が外れた際（図５において左半部の警報状態）、この電線ワイヤ７２に流れる電流が遮断され、瞬間的に抵抗値が異常に増大する。後述の制御装置８によってこの抵抗値異常を感知し、制御装置８が信号を発信する。
【００１８】
戸当り框５に形成した受電端子部５１は、戸当り框５から突出する突出部５１１が形成され、突出部５１１の先端面には二つの端子５１２が露出して設けられ、該端子５１２にワイヤセンサ７の端末が夫々取付けられている。一方、戸当り框５と対向する戸当り柱３には、受電端子部５１と対向して送電端子部３１が設けられている。送電端子部３１には凹部３１１が形成され、凹部３１１内において送電端子３１２がコイルスプリング３１３によって付勢され、送電端子３１２が凹部３１１内に突出している。図４に示すとおり、引戸門扉１の閉成状態においては、受電端子部５１の突出部５１１が送電端子部３１の凹部３１１内に嵌め込まれ、送電端子３１２がコイルスプリング３１３の付勢力に抗して押込まれるが、結果として送電端子３１２が受電端子５１２に押付けられる。送電端子３１２は一次電源に接続しているので、受電端子５１２を介してワイヤセンサ７に通電可能となる。
【００１９】
送電端子３１２に接続した配線は、制御装置８と電力供給装置に接続されている。制御装置８は、ワイヤセンサ７に流れる電流が遮断された際、抵抗値が異常に跳ね上がるのを検出し、警報装置９に信号を送信する。なお、電流が遮断されない正常状態におけるワイヤセンサ７の抵抗値は約３ＫΩであり、ワイヤセンサ７の端子７１１が外れる等の制御装置８が抵抗値異常と認識する値は約１０ＫΩである。
電力供給装置は、一次電源（商用電源）に接続する整流電源回路によって構成されている。制御装置８の信号を受信する警報装置９は、従来知られている光、音等を発生する威嚇装置の他、管理者の監視装置、携帯電話等への通報装置が挙げられる。
【００２０】
図中１０は、引戸門扉１によって区画される敷地の内側と外側とに設けられ、ワイヤセンサ７による警戒状態あるいは非警戒状態を選択できるセンサスイッチである。ワイヤセンサ７に通電している状態において引戸門扉１を開成操作すると、ワイヤセンサ７の通電が停止し、制御装置８が抵抗値異常を検出し、警報装置９に信号が送信される。よって、扉体２の上方部が非警戒状態となるよう、センサスイッチ１０を操作して制御装置８の動作を停止し、ワイヤセンサ７の通電を停止した後に引戸門扉１の開成操作を行なう。
電動駆動装置Ｄには、電動モータが設けられ、該電動モータの出力軸にピニオンギヤあるいはスプロケット等を固定し、これらを扉体２の下方部に固定したラックあるいはチェーン等に歯合させ、電動モータを駆動することによって、扉体２の開閉動作を行なう。
【００２１】
なお、本実施例のように電動開閉式引戸門扉の場合、上記センサスイッチ１０によるワイヤセンサ７の警戒あるいは非警戒状態の選択は、扉体２の開閉スイッチと兼用し、これに連動させている。即ち、全閉状態から扉体２の開動作ボタンを押すと同時に制御装置８の動作が停止する。また、開成状態から閉動作ボタンを押して扉体２を操作し、扉体２の戸当り框５が戸当り柱３に当接すると同時に扉体２の位置を検出する近接スイッチ（不図示）が作動し、この近接スイッチに連動して電動駆動装置Ｄが停止すると共に制御装置８が作動する。なお、近接スイッチは戸当り框５の戸当り面と、戸当り柱３の戸当り框５が当接する側面に設けられている。
近接スイッチの作動に連動して、電動駆動装置Ｄが停止し、制御装置８が作動するが、扉体２が戸当り柱３に衝突して停止する際に、戸当り柱３に撓みあるいは振動が発生すると、送電端子３１２と受電端子５１２の接合が安定せず、制御装置８により抵抗値異常を検出する虞があるので、制御装置８はタイマーにより時間差をおいて作動するように設定されている。
【００２２】
次に、このような引戸門扉の開閉動作について説明する。
（電動引戸門扉の場合）
図７の開動作手順のフローチャートに基づき、全閉状態から開動作する場合について説明する。閉成状態では制御装置８が作動し、扉体２の上方部が警戒状態となっているが、開閉操作リモコン等の開動作ボタンを押すことによって、制御装置８が停止し、扉体２が開動作を開始する。送電端子３１２と受電端子５１２が外れてワイヤセンサ７の通電が停止しても、制御装置８が停止しているので、抵抗値異常を検出することはなく、扉体２の開操作が行なわれる。
一方、開閉操作リモコン等の開動作ボタンを押さないで扉体２を開動作した場合、制御装置８が抵抗値異常を検出し、警報装置が作動する。
【００２３】
次に図８の閉動作手順のフローチャートに基づき、開成状態から扉体２を閉動作する場合について説明する。開成状態において、制御装置８は停止している。開閉操作リモコンの閉動作ボタンを押すと、電動駆動装置Ｄが作動し、扉体２が閉動作を始める。扉体２の戸当り框５が戸当り柱３に近づくと、近接スイッチが作動する。近接スイッチの作動に連動して、電動駆動装置Ｄが停止し閉動作が終了すると共に制御装置８が作動するが、扉体２が戸当り柱３に当接して停止する際に、戸当り柱３に撓みあるいは振動が発生すると、送電端子３１２と受電端子５１２の接触が安定せず、制御装置８が抵抗値異常を検出する虞があるので、近接スイッチの作動と同時に制御装置８を作動するのではなく、一旦タイマーを作動させ、一定時間（約５秒）経過した後制御装置８を作動する。この一定時間の間に、戸当り柱３の撓みあるいは振動が収まり、送電端子３１２と受電端子５１２の接合が安定し、その後制御装置８が作動し、扉体２の上方部が警戒状態となる。
【００２４】
（手動引戸門扉の場合）
全閉状態から開動作する場合、先ず敷地内側あるいは外側のセンサスイッチ１０を操作して制御装置８を停止する。操作するセンサスイッチ１０は、敷地内側あるいは外側の何れであっても構わない。センサスイッチ１０により制御装置８を停止した後、扉体２を開動作する。
次に開成状態から扉体を閉動作する場合、開成状態ではセンサスイッチ１０を切って制御装置８は停止している。扉体２を閉動作して戸当り框５を戸当り柱３に当接させると、受電端子部５１の突出部５１１が送電端子部３１の凹部３１１に嵌まり込み、受電端子５１２と送電端子３１２が接合する。扉体２の閉動作が完了した後、センサスイッチ１０を作動させて制御装置８を作動することにより、ワイヤセンサ７が通電し、扉体２の上方部が警戒状態となる。
【００２５】
上記実施例において、扉体２に縦格子を設けたが横格子、鋳物パネル等であっても構わない。またワイヤセンサ７を上下に２本配線したが、４本以上でも構わない。また送電端子部３１と受電端子部５１の形状も種々のものが考えら、ワイヤセンサ７に通電できるものであれば構わない。
【図面の簡単な説明】
【００２６】
【図１】本発明引戸門扉の正面図
【図２】本発明引戸門扉の平面図
【図３】本発明引戸門扉の送電端子部と受電端子部の拡大断面図
【図４】送電端子部と受電端子部の接合状態を表わす拡大断面図
【図５】ワイヤセンサにおける感知装置の拡大断面図
【図６】本発明引戸門扉のブロック図
【図７】本発明引戸門扉の開動作のフローチャート
【図８】本発明引戸門扉の閉動作のフローチャート
【符号の説明】
【００２７】
１      引戸門扉
２      扉体
３      戸当り柱
７      ワイヤセンサ
８      制御装置
９      警報装置
１０      センサスイッチ
３１      送電端子部
５１      受電端子部
７２      電線ワイヤ
【図１】
0004585945.tif 000002
【図２】
0004585945.tif 000003
【図３】
0004585945.tif 000004
【図４】
0004585945.tif 000005
【図５】
0004585945.tif 000006
【図６】
0004585945.tif 000007
【図７】
0004585945.tif 000008
【図８】
0004585945.tif 000009